(57)【特許請求の範囲】
【請求項１】
制御部および電源部を内部に配置した筐体と、前記筐体の制御部に対応した位置に設けた第１の開閉部と、前記筐体の電源部に対応した位置に設けた第２の開閉部を有する制御装置であって、前記制御部と前記電源部の間で、かつ前記第１の開閉部と前記第２の開閉部の間に隔壁を設け、前記隔壁の両面に前記電源部と前記制御部の少なくとも一部を配置し、前記第１の開閉部と前記第２の開閉部は互いに対面する位置に設けられ、前記第１の開閉部の開閉方向と前記第２の開閉部の開閉方向とを９０度異ならせた制御装置。
【請求項２】
第２の開閉部にロック機構を設け、前記ロック機構は制御装置の外側表面に設けられた請求項１記載の制御装置。
【請求項３】
第２の開閉部は前記第２の開閉部の下面側を支点として上面から下面方向に開放し、前記第２の開閉部に重量物を取り付ける請求項１または２記載の制御装置。
【請求項４】
隔壁に切り欠きを設けた請求項１から３の何れかに記載の制御装置。
【請求項５】
切り欠きの部分を介して制御部と電源部をケーブルで接続した請求項４記載の制御装置。
【請求項６】
筐体に対して第２の開閉部を着脱自在に設けた請求項１から５の何れかに記載の制御装置。
【発明の詳細な説明】
【０００１】
【発明の属する技術分野】
本発明は、制御部と電源部を内部に配置した制御装置とその製造方法に関する。
【０００２】
【従来の技術】
制御装置は、筐体内部に制御部と電源部を配置しているが、それらの部品は筐体内面に取りつけられており、通常は下面または側面に取り付けられていた。
【０００３】
【発明が解決しようとする課題】
しかし、従来の制御装置においては、小型化されたときに部品の取り付けや、結線が困難であった。
【０００４】
また、電源部の高電圧部分については、メンテナンス作業時の接触による感電を防止するために、カバーで囲む必要があり、組み立てを煩雑なものとしていた。
【０００５】
本発明はこれら課題を解決するもので、組み立て易く小型化が可能な制御装置とその製造方法を提供することを目的とする。
【０００６】
【課題を解決するための手段】
上記目的を達成するために、請求項１記載の本発明は、制御部および電源部を内部に配置した筐体と、前記筐体の制御部に対応した位置に設けた第１の開閉部と、前記筐体の電源部に対応した位置に設けた第２の開閉部を有する制御装置であって、前記制御部と前記電源部の間で、かつ前記第１の開閉部と前記第２の開閉部の間に隔壁を設け、前記隔壁の両面に前記電源部と前記制御部の少なくとも一部を配置し、前記第１の開閉部と前記第２の開閉部は互いに対面する位置に設けられ、前記第１の開閉部の開閉方向と前記第２の開閉部の開閉方向とを９０度異ならせた制御装置である。
【０００７】
請求項２記載の本発明は、第２の開閉部にロック機構を設け、前記ロック機構は制御装置の外側表面に設けられた請求項１記載の制御装置である。
【０００８】
請求項３記載の本発明は、第２の開閉部は前記第２の開閉部の下面側を支点として上面から下面方向に開放し、前記第２の開閉部に重量物を取り付ける請求項１または２記載の制御装置である。
【０００９】
請求項４記載の本発明は、隔壁に切り欠きを設けた請求項１から３の何れかに記載の制御装置である。
【００１０】
請求項５記載の本発明は、切り欠きの部分を介して制御部と電源部をケーブルで接続した請求項４記載の制御装置である。
【００１１】
請求項６記載の本発明は、筐体に対して第２の開閉部を着脱自在に設けた請求項１から５の何れかに記載の制御装置である。
【００１４】
【発明の実施の形態】
本発明は上記した構成により、特別なメンテナンス時のみ取りあつかう電源部と、一般ユーザが結線を必要とする制御部を分離し、制御部を解放するための第１の開閉部とは別に、メンテナンス時のみ取りあつかう電源部を解放する第２の開閉部にロックする機構を設けることにより、カバー等で囲う必要がない。
【００１５】
一般ユーザが結線を必要とする制御部と電源部を分離する隔壁部分の両面には部品を取り付けることにより、空間を有効的に活用することが出来る。
【００１６】
また、後面を上面からの解放する機構があるので重量物が取り付けられ、且つメンテナンスが容易である。
【００１７】
さらに、隔壁板に切り欠きと、場合によっては制御装置の外面筐体の少なくとも１面を解放する機構を有しているので制御装置の組立が容易である。
【００１８】
以下、本発明の一実施の形態について図１および図２を参照しながら説明する。図１は本発明の一実施の形態の制御装置の組立後の図を示す、図２は同部品の組立前である。
【００１９】
図１において第１の開閉部であるドアー１は、一般ユーザが結線を必要とする制御部を解放する為のドアー、第２の開閉部であるドアー２はメンテナンス時のみ接触可能な電源部を解放する為のドアー、隔壁３は制御部と電源部を分離しており且つ隔壁の両面には部品が取り付いている。
【００２０】
ドアー２はメンテナンス時のみ解放可能にする様に鍵等でロックできる構造になっている。
【００２１】
この構造を取ることによってメンテナンス性を損なわず、容易に一般ユーザが結線を必要とする制御部とメンテナンス時のみ接触可能な電源部を分離でき且つ、制御装置内の部品密度を上げられ小型化できる。
【００２２】
また、ドアー２を上面から解放する機構を設けることにより、ドアー２の解放する際、支点４を引っかける構造にする。これにより重力方向の力が支点４にかかるため、ドアー２に重量物が取り付けることが安価に可能となる。
【００２３】
また、ドアー１またはドアー２を解放させる際、一旦解放を止める機構を設ける。
【００２４】
このようにすることにより、ドアー１またはドアー２の配線を解放する間口５または間口６に這わしても配線の長さを一旦解放を止める部分までの弛みで抑えることが出来る。
【００２５】
つまり、一旦解放を止める部分まで解放しその状態で配線のコネクタ等を外し、配線の片方をフリーにしドアー１またはドアー２を全開にする。
【００２６】
したがって、ドアー１またはドアー２の配線の這わし方の自由度が向上すると共に、解放することによる配線長を長くするのを一旦解放を止める部分までの弛みの裕度までで抑えられる。
【００２７】
組み立てる時は隔壁３に部品を取り付け、隔壁３で配線可能な部分は全て行う。
【００２８】
この様にすることにより、狭い制御装置の中での組立、結線の作業が制御装置外の広いところで出来、作業が容易になる。
【００２９】
また隔壁３を制御装置に組み込む際は、隔壁３に切り欠き７及び切り欠き８等を設けることにより、その部分に手９等で支え、隔壁３を組み込める。または制御装置の外面筐体の少なくとも一面１０を解放するようにしておき、切り欠き８を削除してもよい。この様にすることにより隔壁３を容易に制御装置に組み込める。
【００３０】
さらに切り欠き７もしくは切り欠き８等に制御（弱電）部分と、少なくとも高圧（強電）部分を含む部分を接続するケーブル等を通過させる。
【００３１】
【発明の効果】
以上の説明から明らかなように、本発明によれば制御装置内の部品密度を高め小型で、またメンテナンス時のみ接触可能な電源部を容易に分離出来かつメンテナンス性に優れ、また組立易い制御装置が提供できる。
【００３２】
さらに制御部と電源部を分離させることにより、電源部のノイズや熱が制御部に侵入することを妨げる。
【図面の簡単な説明】
【図１】本発明の一実施の形態の制御装置の構成図
【図２】本発明の一実施の形態の制御装置の部品構成図
【符号の説明】
１    ドアー
２    ドアー
３    隔壁
４    支点
５    間口
６    間口
７    切り欠き
８    切り欠き
９    手
１０  面
【図１】
0003975643.tif 000002
【図２】
0003975643.tif 000003